(57)【要約】【課題】ネットワークサーチ動作を向上させた、複数の無線アクセス技術で動作するセルラー方式無線通信装置１００のためのネットワーク取得方法の提供。【解決手段】複数のセルから受信した信号の特性に基づいて最も適切なセルを決定する（１６）ネットワーク取得方法において、各セルからの信号は一周波数帯上に与えられ、一無線アクセス技術での各周波数ごとの前記特性の一連の測定を行うよう設定されており（１４）、前記一連の測定の最後の測定以前に、周波数ごとの少なくとも一つの測定された信号の前記特性を所定の値と比較し、その結果前記一無線アクセス技術が適切なセルを形成しないようであれば、前記一連の測定の前記最後の測定が行われる前に、代わりの無線アクセス技術に切り替え、適切なセルをサーチするために、代わりの無線アクセス技術にともなう信号をサーチする（１８及び２０）ことを特徴とする。【選択図】図１
2004173266.tif 000002
【特許請求の範囲】
【請求項１】
複数の無線技術で動作するセルラー方式の無線通信装置のためのネットワーク取得方法において、複数のセルから受信した信号の特性に基づいて最も適切なセルを決定するステップを有する前記ネットワーク取得方法において、各セルからの信号は一周波数帯上に与えられ、前記方法は一無線技術での各周波数ごとの前記特性の一連の測定を行うよう設定されており、前記一連の測定の最後の測定以前に、周波数ごとの少なくとも一つの測定された信号の前記特性を所定の値と比較し、もしその結果、前記一無線技術が適切なセルを形成しないようであれば、前記一連の測定の前記最後の測定が行われる前に、代わりの無線技術に切り替え、適切なセルをサーチするために、代わりの無線技術にともなう信号をサーチするステップを有することを特徴とするネットワーク取得方法。
【請求項２】
請求項１に記載のネットワーク取得方法において、前記一無線技術でのサーチと同様の方法で、前記代わりの無線技術でのサーチを行うステップを有することを特徴とするネットワーク取得方法。
【請求項３】
請求項１及び２のいずれかに記載のネットワーク取得方法において、平均値を得るための前記一連の測定のうち一番初めの測定がなされた後、受信した信号の特性を所定の値と比較することを特徴とするネットワーク取得方法。
【請求項４】
請求項１〜３のいずれかに記載のネットワーク取得方法において、前記所定の値はセルラー方式の無線通信装置内に設定されていることを特徴とするネットワーク取得方法。
【請求項５】
請求項１〜４のいずれかに記載のネットワーク取得方法において、前記所定の値はそれぞれの無線技術ごとに設定されていることを特徴とするネットワーク取得方法。
【請求項６】
請求項１〜５のいずれかに記載のネットワーク取得方法において、前記受信した信号の特性は信号強度を有することを特徴とするネットワーク取得方法。
【請求項７】
請求項１〜５のいずれかに記載のネットワーク取得方法において、前記受信した信号の特性は信号強度の微分量であることを特徴とするネットワーク取得方法。
【請求項８】
請求項１〜７のいずれかに記載のネットワーク取得方法において、適切なセルが確認されそうにないと決定された時にも、無線技術でのシーケンスの平均化を継続するステップを有することを特徴とするネットワーク取得方法。
【請求項９】
請求項１〜８のいずれかに記載のネットワーク取得方法において、デュアルモードあるいはマルチモード装置で使用可能であること特徴とするネットワーク取得方法。
【請求項１０】
複数の無線技術で動作するセルラー方式の無線通信装置であって、複数のセルから受信した信号の特性に基づいて最も適切なセルを決定する手段を有する前記無線通信装置において、各セルからの信号は一周波数帯上に与えられ、前記無線通信装置は一無線技術での各周波数ごとの前記特性の一連の測定を行う手段と、前記一連の測定の最後の測定以前に、周波数ごとの少なくとも一つの測定された信号の前記特性を所定の値と比較し、もしその結果、前記一無線技術が適切なセルを形成しないようであれば、前記一連の測定の前記最後の測定が行われる前に、代わりの無線技術に切り替え、適切なセルをサーチするために、代わりの無線技術にともなう信号をサーチする手段とを有することを特徴とする無線通信装置。
【請求項１１】
請求項１０に記載の無線通信装置において、請求項２〜９のいずれかに記載のネットワーク取得方法に従って動作することを特徴とする無線通信装置。
【請求項１２】
複数の無線アクセス技術で動作するセルラー方式の無線通信装置のためのネットワーク取得方法において、複数のセルから受信した信号の特性に基づいて最も適切なセルを決定するステップを有する前記ネットワーク取得方法において、各セルからの信号は一周波数帯上に与えられ、前記方法は一無線アクセス技術での各周波数ごとの前記特性の一連の測定を行うよう設定されており、前記一連の測定の最後の測定以前に、周波数ごとの少なくとも一つの測定された信号の前記特性を所定の値と比較し、もしその結果、前記一無線アクセス技術が適切なセルを形成しないようであれば、前記一連の測定の前記最後の測定が行われる前に、代わりの無線アクセス技術に切り替え、適切なセルをサーチするために、代わりの無線アクセス技術にともなう信号をサーチするステップを有することを特徴とするネットワーク取得方法。
【請求項１３】
請求項１２に記載のネットワーク取得方法において、前記一無線アクセス技術でのサーチと同様の方法で、前記代わりの無線アクセス技術でのサーチを行うステップを有することを特徴とするネットワーク取得方法。
【請求項１４】
請求項１２及び１３のいずれかに記載のネットワーク取得方法において、平均値を得るための前記一連の測定のうち一番初めの測定がなされた後、受信した信号の特性を所定の値と比較することを特徴とするネットワーク取得方法。
【請求項１５】
請求項１２〜１４のいずれかに記載のネットワーク取得方法において、前記所定の値はセルラー方式の無線通信装置内に設定されていることを特徴とするネットワーク取得方法。
【請求項１６】
請求項１２〜１５のいずれかに記載のネットワーク取得方法において、前記所定の値はそれぞれの無線アクセス技術ごとに設定されていることを特徴とするネットワーク取得方法。
【請求項１７】
請求項１２〜１６のいずれかに記載のネットワーク取得方法において、前記受信した信号の特性は信号強度を有することを特徴とするネットワーク取得方法。
【請求項１８】
請求項１２〜１６のいずれかに記載のネットワーク取得方法において、前記受信した信号の特性は信号強度の微分量であることを特徴とするネットワーク取得方法。
【請求項１９】
請求項１２〜１８のいずれかに記載のネットワーク取得方法において、適切なセルが確認されそうにないと決定された時にも、無線アクセス技術でのシーケンスの平均化を継続するステップを有することを特徴とするネットワーク取得方法。
【請求項２０】
請求項１２〜１９のいずれかに記載のネットワーク取得方法において、デュアルモードあるいはマルチモード装置で使用可能であること特徴とするネットワーク取得方法。
【請求項２１】
複数の無線アクセス技術で動作するセルラー方式の無線通信装置であって、複数のセルから受信した信号の特性に基づいて最も適切なセルを決定する手段を有する前記無線通信装置において、各セルからの信号は一周波数帯上に与えられ、前記無線通信装置は一無線アクセス技術での各周波数ごとの前記特性の一連の測定を行う手段と、前記一連の測定の最後の測定以前に、周波数ごとの少なくとも一つの測定された信号の前記特性を所定の値と比較し、もしその結果、前記一無線アクセス技術が適切なセルを形成しないようであれば、前記一連の測定の前記最後の測定が行われる前に、代わりの無線アクセス技術に切り替え、適切なセルをサーチするために、代わりの無線アクセス技術にともなう信号をサーチする手段とを有することを特徴とする無線通信装置。
【請求項２２】
請求項２１に記載の無線通信装置において、請求項１３〜２０のいずれかに記載のネットワーク取得方法に従って動作することを特徴とする無線通信装置。
【発明の詳細な説明】
【技術分野】
【０００１】
本発明は、セルラー方式の無線通信装置のためのネットワーク取得方法及びセルラー方式の無線通信装置に関する。
【背景技術】
【０００２】
携帯電話などのセルラー方式の無線通信装置が次第に一般的になって、広く用いられるようになり、多くの場合において、商用及び家庭用の両方において最も重要な通信手段となっている。
【０００３】
このように広く普及したことにより、装置における潜在的な欠陥や限界といったものが明らかになった。例えば、携帯電話のスイッチを入れた場合、まず適切な通信ネットワークを取得するために取得手順が実行され、その後でネットワーク全体における通信交換に移る。携帯電話のスイッチを入れてから実際にネットワークを取得するまでの時間は、一般的にはユーザーに見過ごされることはなく、ユーザーに関する限りデッドタイム（ｄｅａｄ  ｔｉｍｅ）を有することになるのは、その間ネットワーク取得上で他の操作が何らなされないからである。ネットワーク取得に要する時間が長くなればなるほど、この時間はユーザーの知るところとなり、ユーザーをイライラさせる原因となる。またネットワーク取得手順においては、通信手順が単に必要とする電力と比較して、携帯電話機は膨大な電力量を必要とする。
【０００４】
それどころか、現存する異なった移動体通信様式、デュアルモードあるいはマルチモードを提供する携帯電話機に対する更なる要求、実施の可能性といった観点からすると、それぞれの携帯電話機において１つ以上のモードでのサーチが次第に必要になってくるであろう。ユーザーのイライラの原因にもなる、このようなネットワーク取得の際の潜在的遅延は、頻繁に起こっているに違いない。以下に説明するように、ネットワーク取得には１セットの周波数（一般的には、ネットワーク中の最も適したセルを割り出すという試みにおいて周波数帯によって規定される）を介して行われるサーチを必要とする。デュアルモード操作では、最も適切なセルを見つけ出すだけでなく、少なくとも電話機のデュアルモードが実行可能な最も適したネットワークを見つけるために、複数のセットの周波数がサーチする際に介されるであろう。
【０００５】
特許文献１には、移動局装置が高速に移動していてもリアルタイムに近いハンドオーバ先基地局を検出することができる移動局装置が開示されている。
【特許文献１】特開平１０−１９１４１９号公報
【発明の開示】
【発明が解決しようとする課題】
【０００６】
本発明の目的は、公知の方法と比較して、利点を備えている、セルラー方式の無線通信装置のためのネットワーク取得方法を提供することにある。
【０００７】
本発明の別の目的は、公知の装置と比較して、利点を備えている、セルラー方式の無線通信装置を提供することにある。
【課題を解決するための手段】
【０００８】
本発明によるネットワーク取得方法及び本発明による無線通信装置は、以下のとおりである。
【０００９】
（１）複数の無線技術で動作するセルラー方式の無線通信装置のためのネットワーク取得方法において、複数のセルから受信した信号の特性に基づいて最も適切なセルを決定するステップを有する前記ネットワーク取得方法において、各セルからの信号は一周波数帯上に与えられ、前記方法は一無線技術での各周波数ごとの前記特性の一連の測定を行うよう設定されており、前記一連の測定の最後の測定以前に、周波数ごとの少なくとも一つの測定された信号の前記特性を所定の値と比較し、もしその結果、前記一無線技術が適切なセルを形成しないようであれば、前記一連の測定の前記最後の測定が行われる前に、代わりの無線技術に切り替え、適切なセルをサーチするために、代わりの無線技術にともなう信号をサーチするステップを有することを特徴とするネットワーク取得方法。
【００１０】
（２）上述の（１）に記載のネットワーク取得方法において、前記一無線技術でのサーチと同様の方法で、前記代わりの無線技術でのサーチを行うステップを有することを特徴とするネットワーク取得方法。
【００１１】
（３）上述の（１）及び（２）のいずれかに記載のネットワーク取得方法において、平均値を得るための前記一連の測定のうち一番初めの測定がなされた後、受信した信号の特性を所定の値と比較することを特徴とするネットワーク取得方法。
【００１２】
（４）上述の（１）〜（３）のいずれかに記載のネットワーク取得方法において、前記所定の値はセルラー方式の無線通信装置内に設定されていることを特徴とするネットワーク取得方法。
【００１３】
（５）上述の（１）〜（４）のいずれかに記載のネットワーク取得方法において、前記所定の値はそれぞれの無線技術ごとに設定されていることを特徴とするネットワーク取得方法。
【００１４】
（６）上述の（１）〜（５）のいずれかに記載のネットワーク取得方法において、前記受信した信号の特性は信号強度を有することを特徴とするネットワーク取得方法。
【００１５】
（７）上述の（１）〜（５）のいずれかに記載のネットワーク取得方法において、前記受信した信号の特性は信号強度の微分量であることを特徴とするネットワーク取得方法。
【００１６】
（８）上述の（１）〜（７）のいずれかに記載のネットワーク取得方法において、適切なセルが確認されそうにないと決定された時にも、無線技術でのシーケンスの平均化を継続するステップを有することを特徴とするネットワーク取得方法。
【００１７】
（９）上述の（１）〜（８）のいずれかに記載のネットワーク取得方法において、デュアルモードあるいはマルチモード装置で使用可能であること特徴とするネットワーク取得方法。
【００１８】
（１０）複数の無線技術で動作するセルラー方式の無線通信装置であって、複数のセルから受信した信号の特性に基づいて最も適切なセルを決定する手段を有する前記無線通信装置において、各セルからの信号は一周波数帯上に与えられ、前記無線通信装置は一無線技術での各周波数ごとの前記特性の一連の測定を行う手段と、前記一連の測定の最後の測定以前に、周波数ごとの少なくとも一つの測定された信号の前記特性を所定の値と比較し、もしその結果、前記一無線技術が適切なセルを形成しないようであれば、前記一連の測定の前記最後の測定が行われる前に、代わりの無線技術に切り替え、適切なセルをサーチするために、代わりの無線技術にともなう信号をサーチする手段とを有することを特徴とする無線通信装置。
【００１９】
（１１）上述の（１０）に記載の無線通信装置において、上述の（２）〜（９）のいずれかに記載のネットワーク取得方法に従って動作することを特徴とする無線通信装置。
【００２０】
（１２）複数の無線アクセス技術で動作するセルラー方式の無線通信装置のためのネットワーク取得方法において、複数のセルから受信した信号の特性に基づいて最も適切なセルを決定するステップを有する前記ネットワーク取得方法において、各セルからの信号は一周波数帯上に与えられ、前記方法は一無線アクセス技術での各周波数ごとの前記特性の一連の測定を行うよう設定されており、前記一連の測定の最後の測定以前に、周波数ごとの少なくとも一つの測定された信号の前記特性を所定の値と比較し、もしその結果、前記一無線アクセス技術が適切なセルを形成しないようであれば、前記一連の測定の前記最後の測定が行われる前に、代わりの無線アクセス技術に切り替え、適切なセルをサーチするために、代わりの無線アクセス技術にともなう信号をサーチするステップを有することを特徴とするネットワーク取得方法。
【００２１】
（１３）上述の（１２）に記載のネットワーク取得方法において、前記一無線アクセス技術でのサーチと同様の方法で、前記代わりの無線アクセス技術でのサーチを行うステップを有することを特徴とするネットワーク取得方法。
【００２２】
（１４）上述の（１２）及び（１３）のいずれかに記載のネットワーク取得方法において、平均値を得るための前記一連の測定のうち一番初めの測定がなされた後、受信した信号の特性を所定の値と比較することを特徴とするネットワーク取得方法。
【００２３】
（１５）上述の（１２）〜（１４）のいずれかに記載のネットワーク取得方法において、前記所定の値はセルラー方式の無線通信装置内に設定されていることを特徴とするネットワーク取得方法。
【００２４】
（１６）上述の（１２）〜（１５）のいずれかに記載のネットワーク取得方法において、前記所定の値はそれぞれの無線アクセス技術ごとに設定されていることを特徴とするネットワーク取得方法。
【００２５】
（１７）上述の（１２）〜（１６）のいずれかに記載のネットワーク取得方法において、前記受信した信号の特性は信号強度を有することを特徴とするネットワーク取得方法。
【００２６】
（１８）上述の（１２）〜（１６）のいずれかに記載のネットワーク取得方法において、前記受信した信号の特性は信号強度の微分量であることを特徴とするネットワーク取得方法。
【００２７】
（１９）上述の（１２）〜（１８）のいずれかに記載のネットワーク取得方法において、適切なセルが確認されそうにないと決定された時にも、無線アクセス技術でのシーケンスの平均化を継続するステップを有することを特徴とするネットワーク取得方法。
【００２８】
（２０）上述の（１２）〜（１９）のいずれかに記載のネットワーク取得方法において、デュアルモードあるいはマルチモード装置で使用可能であること特徴とするネットワーク取得方法。
【００２９】
（２１）複数の無線アクセス技術で動作するセルラー方式の無線通信装置であって、複数のセルから受信した信号の特性に基づいて最も適切なセルを決定する手段を有する前記無線通信装置において、各セルからの信号は一周波数帯上に与えられ、前記無線通信装置は一無線アクセス技術での各周波数ごとの前記特性の一連の測定を行う手段と、前記一連の測定の最後の測定以前に、周波数ごとの少なくとも一つの測定された信号の前記特性を所定の値と比較し、もしその結果、前記一無線アクセス技術が適切なセルを形成しないようであれば、前記一連の測定の前記最後の測定が行われる前に、代わりの無線アクセス技術に切り替え、適切なセルをサーチするために、代わりの無線アクセス技術にともなう信号をサーチする手段とを有することを特徴とする無線通信装置。
【００３０】
（２２）上述の（２１）に記載の無線通信装置において、上述の（１３）〜（２０）のいずれかに記載のネットワーク取得方法に従って動作することを特徴とする無線通信装置。
【発明の効果】
【００３１】
本発明は、ネットワークサーチの動作を非常に向上させるという利点を有する。
【００３２】
更に本発明は、装置のユーザーが体験するデッドタイムを削減し、またネットワーク取得手順において装置が必要とする電力を削減することができる。
【発明を実施するための最良の形態】
【００３３】
次に本発明の実施例について図面を参照して説明する。
【００３４】
図１を参照すると、本発明の一実施例によるネットワーク取得方法を実施する無線通信装置１００が示されている。
【００３５】
周知のように、３ＧＰＰ（３ｒｄ  Ｇｅｎｅｒａｔｉｏｎ  Ｐａｒｔｎｅｒｓｈｉｐ  Ｐｒｏｊｅｃｔ）仕様では、無線通信装置としての電話機は、その時点その時点で一つの完全な無線アクセス技術（ｒａｄｉｏ  ａｃｃｅｓｓ  ｔｅｃｈｎｏｌｏｇｙ：  ＲＡＴ）全体をサーチすることが要求されている。ＲＡＴの相対的優先度は電話機内に設定されており、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）モード及びＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モードを有するデュアルモードＧＳＭ／ＵＭＴＳ電話機においても、ＧＳＭあるいはＵＭＴＳの初期サーチがなされることになる。その際に、もし適切なセル（ｓｕｉｔａｂｌｅ  ｃｅｌｌ）が第１のＲＡＴで見つからなかった場合には、工程上は、初期選択中に第２のＲＡＴに探しにいくことになっている。
【００３６】
初期サーチは信号の強度を利用した単純なものであるか、あるいはその微分量であるので、セルは信号の強度順に並べられ、その最初のセルに適切にアクセスする。３ＧＰＰは、３秒間もの間に行われる１周波数あたり５回の測定がこの順位を形成するために平均化されることを必要としている。
【００３７】
もし観察されているＲＡＴ上にネットワークがなかったら、上記手順は明らかに無駄である。本発明は、周波数ごとに行われる５つの測定のうちの第１の測定がなされた後、迅速なチェックが行われるべきであることを提案しており、もし利用できるレベル（そのレベルは電話機及びＲＡＴによって決定される）の信号強度を有する周波数がみつからなかった場合には、ＲＡＴ全体をスキップして、次のＲＡＴで測定を開始する。
【００３８】
図１の無線通信装置１００において実施されるネットワーク取得方法は、ステップ１０から開始し、第１のＲＡＴのサーチが開始される。この作業はステップ１２でのシーケンスの平均化を開始するステップが含まれており、ステップ１６で周波数ごとの平均値を決定するために、周波数帯のそれぞれの周波数でＡからＥで示されている５つの測定１４が行われる。
【００３９】
しかしながら、もしサーチされたＲＡＴが結局のところ適切なセルを提供しなければ、全ての測定ＡからＥの実施は時間と電力の無駄であったことが判明する。
【００４０】
そこで、図１の記載の実施例によると、一連の５つの測定１４における一番初めの測定Ａに続いて、サーチされているＲＡＴが適切なセルを形成しそうかどうかアクセスするために、ステップ１８で周波数ごとの測定Ａの結果を所定の値と比較する。このサーチは、信号強度あるいはその微分量のような、記憶された信号特性に基づいて行われる。
【００４１】
もし、一連の５つの測定１４の一番初めの測定Ａに基づいて、ステップ１０でサーチ用に確認されたＲＡＴが適切なセルを形成しそうであるとステップ１８で判断された場合は、本方法は第２の測定Ｂにおける測定１４に進むので、この測定及びその後に続く測定ＣからＥは、ステップ１６での、サーチされたＲＡＴに対する周波数ごとの平均値に達することが可能である。
【００４２】
しかしながら、もしステップ１８において、測定Ａに対する迅速な初期チェックの結果が、サーチされたＲＡＴは適切なセルを形成しそうにないとなった場合、本方法はステップ２０に進み、セルラー方式の無線通信装置に利用可能な代わりのＲＡＴに切り替えることになる。
【００４３】
ステップ２０で一度代わりのＲＡＴに切り替わったら、本方法はステップ１２に戻り、代わりのＲＡＴに対してシーケンスの平均化を始める。
【００４４】
ここで、完全なシーケンスＡからＥが行われるが、特に複数のＲＡＴが利用可能な場合には、代わりのＲＡＴが適切なセルを形成しそうかどうかを決定するために、ステップ１８を介して手順は最初のループを通りながら継続していくことになる。
【００４５】
もし、適切なセルを形成しないと思われたＲＡＴが、なんらかの理由で、さらにサーチされるべきであると決定されたら、適切性の有無、特に特定のＲＡＴにおけるそれらを立証するために、本方法はステップＡからＥのシーケンスの平均化を行う。
【００４６】
なお、本発明はデュアルモモードあるいはマルチモードの装置といった特定の形に限定されるものではない。
【００４７】
ここで、本発明の一形態としてのネットワーク取得方法を、図１を参照して説明しておく。
【００４８】
本発明の一形態によるネットワーク取得方法は、複数の無線技術（典型的には、無線アクセス技術）で動作するセルラー方式の無線通信装置（１００）のためのネットワーク取得方法において、複数のセルから受信した信号の特性に基づいて最も適切なセルを決定するステップ（１６）を有する前記ネットワーク取得方法において、各セルからの信号は一周波数帯上に与えられ、前記方法は一無線技術での各周波数ごとの前記特性の一連の測定を行うよう設定されており（１４）、前記一連の測定の最後の測定以前に、周波数ごとの少なくとも一つの測定された信号の前記特性を所定の値と比較し、もしその結果、前記一無線技術が適切なセルを形成しないようであれば、前記一連の測定の前記最後の測定が行われる前に、代わりの無線技術に切り替え、適切なセルをサーチするために、代わりの無線技術にともなう信号をサーチするステップ（１８及び２０）を有することを特徴とする。
【００４９】
本形態は、例えばマルチモードシステムにおけるネットワークサーチの操作を非常に向上させるという利点を有する。
【００５０】
更に本形態は、装置のユーザーが体験するデッドタイムを削減し、またネットワーク取得手順において装置が必要とする電力を削減することができるものである。
【００５１】
また本方法は、最初の無線技術でのサーチと同様の方法で前記代わりの無線技術でのサーチを行うステップを含むことが望ましい。
【００５２】
好ましくは、それぞれの周波数に対する一連の信号のうち、一番初めのものの特性が、無線技術が適当なセルを形成しそうかどうか確認するために所定の値と比較される。
【００５３】
もちろん、この決定が一連の測定中により早くなされるほど、時間と電力をより一層節約できることを証明できる。信号の特性に関する前記所定の値は、一般的には装置と無線技術によって決定される。
【００５４】
次に、本発明の他の形態による無線通信装置を、図１を参照して説明しておく。
【００５５】
本発明の他の形態による無線通信装置（１００）は、複数の無線技術で動作するセルラー方式の無線通信装置であって、複数のセルから受信した信号の特性に基づいて最も適切なセルを決定する手段（１６）を有する前記無線通信装置において、各セルからの信号は一周波数帯上に与えられ、前記無線通信装置は一無線技術での各周波数ごとの前記特性の一連の測定を行う手段（１４）と、前記一連の測定の最後の測定以前に、周波数ごとの少なくとも一つの測定された信号の前記特性を所定の値と比較し、もしその結果、前記一無線技術が適切なセルを形成しないようであれば、前記一連の測定の前記最後の測定が行われる前に、代わりの無線技術に切り替え、適切なセルをサーチするために、代わりの無線技術にともなう信号をサーチする手段（１８及び２０）とを有することを特徴とする。
【００５６】
この無線通信装置は、上述の一形態において言及したネットワーク取得方法に従って動作するようにすることが可能である。
【図面の簡単な説明】
【００５７】
【図１】本発明の一実施例によるネットワーク取得方法を実施する無線通信装置を説明するための図である。
【符号の説明】
【００５８】
１００    無線通信装置
【図１】
2004173266.tif 000003